(57)【要約】  工具落下防止具として、使用者の一方の肩から当該肩の反対側の脇の下を通るリング状部分を有するシート体からなるシート部材と、前記固定手段における脇の下位置に設けられる紐体を巻いたリールであって、少なくとも当該紐体を２以上の巻き取った位置で回動不能に固定できるリールと、前記紐体の先端に設けられる所定の工具を保持固定可能に形成される工具保持体とから構成する。
2018012600.tif 000002
【特許請求の範囲】
【請求項１】
使用者の一方の肩と、当該肩の反対側の脇の下から、該脇の下から前記肩の長さ分下の位置までの範囲とを通るリング状部分を有するシート部材と、
前記範囲で、前記リング状部分と一方の端部が接続される、少なくとも一部が紐体からなる接続部材と、
前記接続部材の他方の端部に設けられ、所定の工具を保持固定可能に形成される工具保持体と
を有する工具落下防止具。
【請求項２】
前記シート部材はベルト状であり、前記リング状部分の周の長さは調節可能である請求項１に記載の工具落下防止具。
【請求項３】
前記接続部材は前記紐体を任意の巻き取り位置で固定するリールを有する請求項１又は２に記載の工具落下防止具。
【請求項４】
前記使用者の腰に巻きつけるベルトと、当該ベルトに取り付けられ、前記工具を吊り下げる工具掛け具を、さらに有する請求項１から３のいずれか１項に記載の工具落下防止具。
【請求項５】
前記接続部材は、緩衝器を、さらに有する請求項１から４のいずれか１項に記載の工具落下防止具。
【請求項６】
使用者の一方の肩と、当該肩の反対側の脇の下から、該脇の下から前記肩の長さ分下の位置までの範囲とを通るリング状部分を有するシート部材と、
前記範囲で、前記リング状部分と一方の端部が接続される、少なくとも一部が紐体からなる接続部材と、
前記接続部材の他方の端部に設けられ、所定の工具を保持固定可能に形成される工具保持体とを有し、
前記リング状部分の周の長さは調節可能である工具落下防止具の使用方法であって、
前記周の長さは、前記リング状部分が、前記脇の下と、前記肩とを通るときに、前記リング状部分が前記肩から落ちないように調整される、工具落下防止具の使用方法。
【請求項７】
前記接続部材の前記一方の端部は、前記リング状部分が前記肩と前記範囲を通るときに、前記リング状部分の下端で接続される請求項６に記載の使用方法。
【請求項８】
前記リング状部分の下端で接続される前記接続部材の前記一方の端部は、前記使用者の身体の側面の中心線上又は中心線の近傍に配置される請求項７に記載の使用方法。
【発明の詳細な説明】
【技術分野】
【０００１】
本発明は、手動工具を誤って手から落としたような場合において、当該手動工具が地面まで落下することを防止する工具落下防止具及びその使用方法に関する。
【背景技術】
【０００２】
電気工事及び建築作業などにおいては、工具類を入れた工具袋をベルトに固定し、ここから工具を取り出したり、各作業現場において必要とする工具をベルトに係留したりして作業を行なうことが行なわれる。工具袋を固定するベルトとしては腰ベルトが用いられている。【０００３】
工具落下防止具としては特許文献１、２及び３が知られている。特許文献１には道具ハーネスに関する記載があり、ショルダーハーネスが、ハーネスストラップと、ハーネスストラップに接続されるひもとを有し、そのひもにドリルが取り付けられることが開示されている。特許文献２には、手持物品安全具に関する記載があり、上腕部に装着される腕輪部と、腕輪部に取付けられる紐部と、紐部の先端に設けられる物品係止部とが開示されている。特許文献３には、工具との連結部を取り付けた紐状体を引き出し自在に巻き込むリールと備えた、工具の落下防止具が開示されている。
【先行技術文献】
【特許文献】
【０００４】
【特許文献１】米国特許第６３１５１７９号明細書
【特許文献２】特開２０１６−３４６７９号公報
【特許文献３】実願平２−６８２５１号（実開平４−２８９７５号）のマイクロフィルム
【発明の概要】
【発明が解決しようとする課題】
【０００５】
腰ベルトに工具袋を取り付けたり、必要とする工具をベルトに係留したりするだけでは、工具の落下を防止するのは難しい。そこで、腰ベルトに紐を取り付けて工具と接続して、工具の落下を制限することが考えられる。しかし、手に持って工具を使用しようとすると、腰から腕先までの紐の長さが必要となり、長い紐によって作業の邪魔になることが想定される。【０００６】
本発明は、このような問題に鑑みて、工具を肩から吊り下げる落下防止具において、ベルト等が物等に引っ掛かることを低減できる工具落下防止具の構造及びその使用方法を提供することを目的とする。
【課題を解決するための手段】
【０００７】
（１）  本発明に係る工具落下防止具は、使用者の一方の肩と、当該肩の反対側の脇の下から、該脇の下から前記肩の長さ分下の位置までの範囲とを通るリング状部分を有するシート部材と、
前記範囲で、前記リング状部分と一方の端部が接続される、少なくとも一部が紐体からなる接続部材と、
前記接続部材の他方の端部に設けられ、所定の工具を保持固定可能に形成される工具保持体と
を有する工具落下防止具である。【０００８】
（２）  上記（１）に記載の工具落下防止具において、前記シート部材はベルト状であり、前記リング状部分の周の長さは調節可能であってもよい。【０００９】
（３）  上記（１）又は（２）に記載の工具落下防止具において、前記接続部材は前記紐体を任意の巻き取り位置で固定するリールを有してもよい。【００１０】
（４）  上記（１）から（３）のいずれかに記載の工具落下防止具において、前記使用者の腰に巻きつけるベルトと、当該ベルトに取り付けられ、前記工具を吊り下げる工具掛け具を、さらに有してもよい。【００１１】
（５）  上記（１）から（４）のいずれかに記載の工具落下防止具において、前記接続部材は、緩衝器を、さらに有してもよい。【００１２】
（６）  本発明に係る工具落下防止具の使用方法は、使用者の一方の肩と、当該肩の反対側の脇の下から、該脇の下から前記肩の長さ分下の位置までの範囲とを通るリング状部分を有するシート部材と、
前記範囲で、前記リング状部分と一方の端部が接続される、少なくとも一部が紐体からなる接続部材と、
前記接続部材の他方の端部に設けられ、所定の工具を保持固定可能に形成される工具保持体とを有し、
前記リング状部分の周の長さは調節可能である工具落下防止具の使用方法であって、
前記周の長さは、前記リング状部分が、前記脇の下と、前記肩とを通るときに、前記リング状部分が前記肩から落ちないように調整される、工具落下防止具の使用方法である。【００１３】
（７）  上記（６）に記載の工具落下防止具の使用方法において、前記接続部材の前記一方の端部は、前記リング状部材が前記肩と前記範囲を通るときに、前記リング状部分の下端で接続されるようにしてもよい。【００１４】
（８）  上記（７）に記載の工具落下防止具の使用方法において、前記リング状部分の下端で接続される前記接続部材の前記一方の端部は、前記使用者の身体の側面の中心線上又は中心線の近傍に配置されるようにしてもよい。
【発明の効果】
【００１５】
本発明によれば、シート部材のリング状部分は、使用者の体に、より密着し、これによりシート部材が物等に引っかかることを低減することができる。そして、工具を先端に固定する接続部材は使用者が工具を持つ間は、脇の下かそれより肩の長さ分低い位置から腕に沿って動くので、接続部材が物等に引っかかりにくい。さらに、シート部材が肩から脱落することも抑制される。
【図面の簡単な説明】
【００１６】
【図１】本発明の一実施形態に係る工具落下防止具を示す斜視図である。
【図２】本発明の一実施形態に係る腰ベルトを示す斜視図である。
【図３】シート部材を身体に掛ける範囲を示す図である。
【図４】接続部材を配置する位置を示す図である。
【図５】本発明の一実施形態に係る工具落下防止具を装着した状態を示す斜視図である。
【図６】比較例の工具落下防止具を装着した状態を示す斜視図である。
【発明を実施するための形態】
【００１７】
以下、本発明の実施形態について図面を用いて説明する。
本発明の実施形態の工具落下防止具の説明に先だって、比較例として、図６に示す工具防止具について説明する。
図６に示す工具防止具Ａは、工具を肩から吊り下げて保持するベルト状の工具落下防止具である。このような工具落下防止具Ａを用いれば、手から工具を落としても、工具は肩から吊り下げられた状態より下に落ちることがない。
【００１８】
しかしながら、図６に示すような工具落下防止具Ａは手の届く範囲を確保するためにある程度の長さが必要であるため、ベルト部分がたるむこととなり、移動時や閉所作業においてベルト部分が物や建物の出っ張りなどに引っ掛かかりやすくなる。また、作業時や移動時に肩からずり下がってしまい、作業員の動きを拘束してしまう場合がある。
本発明の工具落下防止具は、工具落下防止具Ａを更に改善したものである。
【００１９】
図１に本発明の一実施形態に係る工具落下防止具Ｘの主要部分を示す。工具落下防止具Ｘは、肩掛けベルト１０、リール２０、金属製のワイヤー２１、引っ張りばねからなる緩衝器２３及び工具保持紐３０を有する。肩掛けベルト１０は、リング状に形成されたベルトであり、一般的な肩パッド１１が摺動自在に固定され、送りカン１２を途中に設けることで自在に長さを調節できるように形成されている。送りカン１２によって、リング状部分が、使用者の一方の肩と、この肩の反対側の脇の下から、脇の下から肩の長さ分下の位置までの範囲とを通るように調整する。この調整については後述する使用方法において詳述する。
【００２０】
なお、肩掛けベルト１０の長さを調整する部材としては、送りカンに限らず、ピン式バックルを含むバックル等の他の部材を用いてもよい。また、肩掛けベルト１０にはリング１３が移動可能に固定されている。肩掛けベルト１０はシート部材より構成される。接続部材はリール２０、ワイヤー２１、及び緩衝器２３を含んでいる。リール２０、緩衝器２３は必要に応じて設けられ、接続部材はリール２０と緩衝器２３のいずれか一方又は両方とも含まなくともよい。また、肩パッド１１もなくともよい。ワイヤー２１は紐体となる。紐体は天然繊維、化学繊維等の繊維を撚り合わせた紐(string, cord, or rope)を用いることもできる。
【００２１】
リール２０は、金属製のワイヤー２１を内部に巻き取るボビンが偏平な中空円柱状のケース内に収められたものであって、ケースの外周面に設けられた穴からワイヤー２１が先端から引き出し可能に表出している。前記ボビンはゼンマイばねによって巻き取られる方向に付勢されるとともに、ロック機構によりボビンの回転が固定されており、ケース前面中央のボタンを押すことでロックを解除して、ワイヤー２１の引き出し、及びワイヤー２１のゼンマイばねによる自動巻取りが可能に形成されている。
【００２２】
リール２０はケースの外周面に設けられた二重リング２４によって、肩掛けベルト１０のリング１３に連結され吊り下げられた状態で固定される。リング１３及び二重リング２４は、接続部材に含まれ、リール２０を肩掛けベルト２１に取りつけるために設けられる。ただし、リング１３及び二重リング２４は、リール２０を直接肩掛けベルト１０に取り付ける場合はなくともよい。ワイヤー２１の先端には、引張りばねからなる緩衝器２３を介して、ナスカン２２が固定されている。ナスカン２２は接続部材に含まれる。ナスカン２２は緩衝器２３と工具保持紐３０とを直接接続する場合はなくともよい。ワイヤーの長さは工具を直接ワイヤー先端に固定した際に作業者の腰の位置に工具が達する長さを有することが望ましいが、必要以上にワイヤー２１が繰出されることを防止するために当該工具が作業者の膝に達しない長さにする等、長さに制限を設けることが望ましい。このため、ここではワイヤー２１の長さは使用者の腕の長さ、例えば、約６０ｃｍ〜約８０ｃｍに設定される。このように、ワイヤーの長さに制限を加えて、工具が使用者の足の接地面まで落ちないようにすることができる。
リール２０は、専用品を作成してもよいが、リール式の工具落下防止用コード、落下防止ロープ、落下防止ワイヤー等として市販されている既製品を用いることが可能である。
【００２３】
工具保持紐３０は、先端に輪３１ａが形成された紐体であって、先端の輪３１ａに基端を通して、「６」の字状に形成されたものである。工具保持紐３０は工具保持体となる。これによって先端位置に大きさを変更できる、工具を固定するためのリング状保持部３１が形成されることとなる。ワイヤー２１は工具保持紐３０と同じ材質の紐体から構成してよく、その場合、ナスカン２２と緩衝器２３とを除去して、接続部材と工具保持体とは単一の紐体で構成してもよい。工具保持体は工具を保持できればよく、紐体でなくともよい。例えば、工具に二重リングが取り付けられている場合、この二重リングとナスカン２２と接続して、ナスカン２２を工具保持体として機能させてもよい。この場合、リング１３、二重リング２４、リール２０、ワイヤー２１及び緩衝器２３を接続部材とすることができる。
【００２４】
リング状保持部３１が形成された状態において、先端の輪３１ａよりも基端側には筒状のストッパー３２が通される。ストッパー３２は使用者が手で持ってスライドすることができるが、下方から先端の輪３１ａによって押し上げられても摩擦で動かないように形成されており、ストッパー３２の位置を調節することで、リング状保持部３１のリングの大きさを規定することができる。工具保持紐３０の基端にはリング体が固定され、当該リング体はリール２０のワイヤー２１先端に設けられるナスカン２２に固定される。工具保持紐３０は金属ワイヤーの回りを合成樹脂で覆うことで外表面が滑りにくく形成されている。
【００２５】
図２に工具落下防止具Ｘの一部を構成する腰ベルトＸ2の斜視図を示す。腰ベルトＸ2は、一般的なズボンの腰周りに固定される作業用ベルト５０と、作業用ベルト５０に摺動可能に吊り下げられるＪ字状のフック６０とから構成される。フック６０は工具掛け具となる。工具掛け具の形状はＪ字状に限定されず、工具の種類によって適宜設定される。フック６０は鉛直軸及び水平軸周りに回転可能に吊り下げられる。
【００２６】
次に以上のような構成を有する工具落下防止具Ｘの使用方法について説明する。なお、図３〜図５では右利きの利用者の例を示しているが、左利きの利用者も左右を逆にすれば同様に工具落下防止具Ｘを利用することができる。
まず、使用者は、工具落下防止具Ｘの工具保持紐３０に重量のある電動ドリルなどの工具を固定する。固定の方法は、工具保持紐３０のリング状保持部３１のリングに工具を通して、当該リングを締め付けた後にストッパー３２をずらして当該リングが広がらないように固定する。なお、工具のハンドル部分が閉じた輪を形成している場合に、このハンドル部分の輪に固定するには、工具保持紐３０をワイヤー２１のナスカン２２から外して、ストッパー３２と先端の輪３１ａを基端から抜き、その後、この先端の輪３１ａを工具のハンドル部分の輪に通してから再び基端から挿入し、さらにストッパー３２を通してから、再びナスカン２２に工具保持紐３０を固定するようにすればよい。また、工具にストラップなどを固定するリングが固定されている場合には、工具保持紐３０は取り外して、当該リングをワイヤー２１先端のナスカン２２に固定するようにすればよい。
【００２７】
次に、工具落下防止具Ｘの肩掛けベルト１０を肩から掛け、送りカン１２の位置を調節することでしっかりと締め付けて固定する。この際、図３に示すように肩パッド１１は、肩掛けベルト１０が脇の下を通り、使用者の一方の肩の範囲Ｌ３に当接するように、その肩の上に設けられる。範囲Ｌ３の長さは一方の肩の長さとなる。脇の下を通り、肩の範囲Ｌ３に収まるように肩に当接される、肩掛けベルト１０は、脇の下から首の付け根までの範囲（下限の範囲となる）Ｌ１と、脇の下から肩の先端までの範囲（上限の範囲となる）Ｌ２との間に収まる。肩掛けベルト１０が範囲Ｌ１と範囲Ｌ２との間に収まると、肩掛けベルト１０が肩から脱落しなくなる。肩掛けベルト１０の長さは、肩掛けベルト１０が範囲Ｌ１と範囲Ｌ２との間に収まるように、送りカン１２で調整可能な長さがあればよい。肩掛けベルト１０を脇の下から肩の先端までの範囲Ｌ２を通るようにすると、肩掛けベルト１０が移動して首の付け根を通るようになっても、肩掛けベルト１０が下がる下端は脇の下から距離ｍの位置に収まる。この距離ｍは範囲Ｌ３の長さ、すなわち一方の肩の長さとなる。よって、肩掛けベルト１０の下端の位置も規定されることになる。図３の破線で示す範囲は、首の付け根と、肩掛けベルト１０が下がる下端との間の範囲を示す。
【００２８】
リール２０は上端が肩の反対側の脇の下又は脇の下から距離ｍの位置までの間に位置するようにする。そして、リール２０が脇の下から距離ｍの位置の範囲で肩掛けベルト１０に接続されるようにする。リール２０が設けられない場合には接続部材の端部が肩の反対側の脇の下又は脇の下から距離ｍの位置までの間に位置するようにする。なお、リール２０は接続部材の端部に配置されていなくともよい。リール２０の大きさによっては、リール２０の上端が脇の下又は脇の下から距離ｍの位置までの間に配置されると、腕の動きの邪魔になる場合があり、その場合には脇の下から距離ｍの位置より下の位置に配置される方が好ましい場合がある。リール２０と肩掛けベルト１０の下端とを紐体で接続し、リール２０を脇の下から距離ｍの位置より下の位置に配置することができる。
【００２９】
図４に示すように、リール２０及びワイヤー２１は、使用者の身体の側面の中心線上又は近傍に配置される。リール２０を設けない場合にはワイヤー２１の端部が使用者の身体の側面の中心線上又は近傍に配置される。近傍とは、例えば、上腕部の幅をＴとすると、中心線から左右方向にそれぞれＴ／２の範囲である。こうすることで、荷重が身体の中心又はほぼ中心に掛かるので、荷重によって身体に不要なトルクがかかることがなくなる。
また、腰には腰ベルトＸ2を固定する。その後、リール２０中央のボタンを押してワイヤー２１を開放し、工具が腰ベルトＸ2のフック６０に掛かるようにワイヤー２１の繰出し長さを調整して、工具を腰ベルトＸ2に引っ掛けるようにする。以上で、工具落下防止具Ｘの装着が完了する。図５に工具を固定した工具保持具Ｘの装着状態を表す斜視図を示す。なお、工具落下防止具Ｘは腰ベルトＸ2とともに用いなくともよく、図１に示す工具落下防止具Ｘの主要部分を単独で用いてもよい。
【００３０】
使用者は、この状態で作業位置に移動して、必要に応じて工具Ｔを手に持ち、フック６０から外して作業を行なう。なお、作業に際しては必要に応じて、リール２０中央のボタンを押してワイヤー２１を巻き取るボビンをロック状態から開放して、作業しやすいように繰出し量を調節し、その後リール２０中央のボタンを押して再びロックするようにすることができる。
【００３１】
本実施形態に係る工具落下防止具Ｘは、上記の構成、使用方法によって、使用者の移動時にフック６０から工具が脱落したり、作業時に手が滑って工具が落下しても、工具Ｔはワイヤー２１を介して肩掛けベルト１０に固定されているので、地面まで落下することを防ぐことができる。また、ワイヤー２１の先端に引っ張りばねからなる緩衝器２３が設けられているので、落下の衝撃が緩衝器２３が伸びることで吸収され使用者に工具の落下による強い衝撃が加わることを緩和することができ、また、これによって落下の衝撃を受けて使用者がバランスを崩すことを抑制することができる。そして、工具保持具Ｘは肩掛けベルト１０がぴったりと体に密着して、たるみがないため、移動時や作業時に出っ張りや物に引っ掛かりにくく、また、肩からずり下がることがない。
【００３２】
なお、上記実施形態では、シート部材として、一方の肩から他方の脇の下を通るリング状の肩掛けベルトを示したが、脇の下にリール等を固定でき、使用者の体に密着固定できる形態のものであれば種々のものを採用できる。
また、上記形態では、緩衝器を引っ張りばねとしているが、ワイヤー２１の一部又は前部を伸縉哇のある弾性体により形成することで緩衝器とすることもできる。
さらに、工具を固定するための工具保持紐３０の形状も例示であり、帯状として面ファスナーを用いて固定可能としたり、先端の輪の部分をナスカン等にしたり等適宜変更が可能である。
【００３３】
本実施形態によれば、次のような効果を奏する。
シート部材のリング状部分は、使用者の一方の肩と、当該肩の反対側の脇の下から、該脇の下から前記肩の長さ分下の位置までの範囲とを通るので、使用者の体に、より密着し、これによりシート部材が物等に引っかかることを低減することができる。そして、工具を先端に固定する接続部材は工具を持つ間は、脇の下かそれより肩の長さ分低い位置を支点として腕に沿って動くので、従来のものに比較してやはり物等に引っかかりにくい。さらに、シート部材が、シート部材が肩から脱落することも抑制される。
【００３４】
また、シート部材をベルト状としてリング状部分の周の長さを調節可能に形成することで、シート部材を使用者の体の大きさに合わせてぴったりと密着させることができ、さらに、物等へ引っかかる可能性を低減することができる。
また、工具を先端に固定する紐体をリールから任意の繰り出し位置で固定できるので、運搬時や作業時に最も紐体がたるまないような長さに調節することで、状況に応じて物等に引っかかる可能性を抑制することができる。
【００３５】
また、工具を腰のフックに引っ掛けることが可能となり、工具落下防止具に固定した工具を使用しないときに、当該工具を保持させことで使用者の手を自由にすることができる。
また、緩衝器を設けることで、工具の落下時の衝撃を抑制することができる。
【００３６】
さらに、工具が仮に落下した場合、脇下とは反対の方の肩で落下による衝撃を緩衝できる。そのため、工具が電動ドリルのように重くても、使用者の身体が大きく振られることがなく、両足で踏ん張ることが出来る。
【００３７】
以上、本発明の代表的な各実施形態について説明したが、本発明は、本願の請求の範囲によって規定される、その精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書や要約書の記載には拘束されない。さらに、特許請求の範囲の均等範囲に属する変形や変更はすべて本発明の範囲内のものである。
【００３８】
本願は、２０１６年７月１５日に出願された特願２０１６−１４０８７３号に基づき、優先権の利益を主張するものである。そして、特願２０１６−１４０８７３号の内容は本願の明細書の内容に含まれる。
【符号の説明】
【００３９】
Ｘ  工具落下防止具
Ｘ2  腰ベルト
１０  肩掛けベルト
２０  リール
３０  工具保持紐
６０  フック
【図１】
2018012600.tif 000003
【図２】
2018012600.tif 000004
【図３】
2018012600.tif 000005
【図４】
2018012600.tif 000006
【図５】
2018012600.tif 000007
【図６】
2018012600.tif 000008
【国際調査報告】
2018012600.tif 000009
2018012600.tif 000010
2018012600.tif 000011
2018012600.tif 000012